(57)【要約】【課題】パネルの取付け作業を一人で行うことができるようにパネルを保持できるパネル保持装置を提供する。【解決手段】パネル保持装置２０は、支持部２１、保持部２２、及び可動部２３を備える。保持部２２が第１位置に配置されると、保持部２２に保持されたパネル１６の上端をレール支持具１０より下方に配置することが可能である。保持部２２が第１位置より受け具１３に近い第２位置に配置されると、保持部２２に保持されたパネル１６の下端が受け具１３と同じ高さ又は受け具１３より高い位置に配置される。【選択図】図６
2019199325.tif 000002
【特許請求の範囲】
【請求項１】
マンコンベアの移動手摺用のレールを支持するレール支持具と前記レール支持具より下方に配置された受け具との間にパネルを取付ける際に用いられるパネル保持装置であって、
マンコンベアのステップに載せられる支持部と、
前記パネルを立てた状態で保持するための保持部と、
前記支持部に設けられ、前記保持部を水平方向に変位させる可動部と、
を備え、
前記保持部は、前記支持部が前記ステップに載せられた状態で水平方向に移動することにより、第１位置から前記第１位置より前記受け具に近い第２位置に配置され、
前記保持部が前記第１位置に配置されると、前記保持部に保持された前記パネルの上端を前記レール支持具より下方に配置することが可能であり、
前記保持部が前記第２位置に配置されると、前記保持部に保持された前記パネルの下端が前記受け具と同じ高さ又は前記受け具より高い位置に配置されるパネル保持装置。
【請求項２】
マンコンベアの移動手摺用のレールを支持するレール支持具と前記レール支持具より下方に配置された受け具との間にパネルを取付ける際に用いられるパネル保持装置であって、
マンコンベアのステップに載せられる支持部と、
前記パネルを立てた状態で保持するための保持部と、
前記支持部に設けられ、前記保持部を上下に変位させる可動部と、
を備え、
前記保持部は、前記支持部が前記ステップに載せられた状態で上方に移動することにより、第１位置から前記第１位置より高い第２位置に配置され、
前記保持部が前記第１位置に配置されると、前記保持部に保持された前記パネルの上端を前記レール支持具より下方に配置することが可能であり、
前記保持部が前記第２位置に配置されると、前記保持部に保持された前記パネルの下端が前記受け具と同じ高さ又は前記受け具より高い位置に配置されるパネル保持装置。
【請求項３】
特定の操作が行われることにより、前記保持部を前記第１位置から前記第２位置に変位させる操作部を更に備えた請求項１又は請求項２に記載のパネル保持装置。
【請求項４】
前記保持部は、前記パネルの下側の下端部を保持し、
前記保持部に、
前記パネルの下端面に対向する第１対向面と、
前記パネルの一側の端面に対向する第２対向面と、
前記パネルの前記下端部に、前記受け具の反対側から対向する第３対向面と、
が形成された請求項１から請求項３の何れか一項に記載のパネル保持装置。
【請求項５】
前記第１対向面は、前記第２対向面に近づくに従って低くなるように傾斜する請求項４に記載のパネル保持装置。
【請求項６】
前記支持部は、前記ステップの踏み面に形成されたクリートの間に配置される複数の板状部材を備えた請求項１から請求項５の何れか一項に記載のパネル保持装置。
【請求項７】
前記支持部に設けられ、前記ステップの両側に配置されたスカートガードに前記支持部を固定するための固定部を更に備えた請求項１から請求項６の何れか一項に記載のパネル保持装置。
【請求項８】
前記支持部に設けられ、前記支持部が載せられた前記ステップと前記ステップに隣接する隣接ステップとの隙間に配置されることによって前記ステップの踏み面に形成されたクリートに沿って前記支持部が移動することを防止するための移動防止部材を更に備えた請求項１から請求項６の何れか一項に記載のパネル保持装置。
【発明の詳細な説明】
【技術分野】
【０００１】
この発明は、マンコンベアの保守員によって用いられるパネル保持装置に関する。
【背景技術】
【０００２】
特許文献１に、エスカレーターが記載されている。エスカレーターを利用する人は、ステップに乗ると移動手摺を掴む。移動手摺は、レールに案内され、乗降口間を移動する。レールの下方には、内側板或いは欄干等と呼ばれるパネルが設けられる。
【先行技術文献】
【特許文献】
【０００３】
【特許文献１】特開２０１３−１８９２８５号公報
【発明の概要】
【発明が解決しようとする課題】
【０００４】
マンコンベアの保守員は、上記パネルを外し、内部に配置された照明装置の点検を行う。保守員は、照明装置の点検が終わると、パネルを元通りに取付ける。従来では、２人の保守員でパネルを支えながら、パネルの取付け作業を行っていた。このため、パネルの取付け作業に手間が掛かるといった問題があった。
【０００５】
この発明は、上述のような課題を解決するためになされた。この発明の目的は、パネルの取付け作業を一人で行うことができるようにパネルを保持できるパネル保持装置を提供することである。
【課題を解決するための手段】
【０００６】
この発明に係るパネル保持装置は、マンコンベアのステップに載せられる支持部と、パネルを立てた状態で保持するための保持部と、支持部に設けられ、保持部を水平方向に変位させる可動部と、を備える。保持部は、支持部がステップに載せられた状態で水平方向に移動することにより、第１位置から第１位置より受け具に近い第２位置に配置される。保持部が第１位置に配置されると、保持部に保持されたパネルの上端をレール支持具より下方に配置することが可能である。保持部が第２位置に配置されると、保持部に保持されたパネルの下端が受け具と同じ高さ又は受け具より高い位置に配置される。
【０００７】
この発明に係るパネル保持装置は、マンコンベアのステップに載せられる支持部と、パネルを立てた状態で保持するための保持部と、支持部に設けられ、保持部を上下に変位させる可動部と、を備える。保持部は、支持部がステップに載せられた状態で上方に移動することにより、第１位置から第１位置より高い第２位置に配置される。保持部が第１位置に配置されると、保持部に保持されたパネルの上端をレール支持具より下方に配置することが可能である。保持部が第２位置に配置されると、保持部に保持されたパネルの下端が受け具と同じ高さ又は受け具より高い位置に配置される。
【発明の効果】
【０００８】
この発明に係るパネル保持装置を用いることにより、パネルの取付け作業を一人で行うことができる。
【図面の簡単な説明】
【０００９】
【図１】エスカレーターの例を示す断面図である。
【図２】図１のＡ−Ａ断面を示す図である。
【図３】パネル保持装置の例を示す正面図である。
【図４】パネル保持装置の例を示す側面図である。
【図５】パネルの取付け手順を説明するための図である。
【図６】図５のＣ−Ｃ断面を示す図である。
【図７】図５のＣ−Ｃ断面を示す図である。
【図８】パネル保持装置の他の例を示す図である。
【図９】パネル保持装置の他の例を示す図である。
【図１０】パネル保持装置の他の例を示す図である。
【図１１】実施の形態２におけるパネル保持装置の例を示す図である。
【図１２】パネルの取付け手順を説明するための図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、エスカレーターの例を示す断面図である。先ず、図１を参照し、エスカレーターについて説明する。
【００１２】
エスカレーターのトラス１は、上下の階床に亘って掛け渡される。トラス１は、エスカレーターの自重及び積載荷重を支持する。エスカレーターの利用者は、ステップ２に乗る。ステップ２は、機械室３に設置された電動機４によって駆動される。電動機４は、制御装置５によって制御される。ステップ２は、電動機４によって駆動されることにより、例えば上部の乗降口６から下部の乗降口７に移動する。
【００１３】
移動手摺８は、ステップ２に乗った利用者の両側に配置される。移動手摺８は、無端状である。ステップ２に乗った利用者は、移動手摺８のうち上側に配置された部分を掴む。移動手摺８は、上側に配置された部分がステップ２と同期するように電動機４によって駆動される。
【００１４】
図２は、図１のＡ−Ａ断面を示す図である。レール９は、移動手摺８用のレールである。即ち、移動手摺８は、レール９によってその移動が案内される。レール９は、レール支持具１０に支持される。レール支持具１０に、下向きに開口する溝１１が形成される。溝１１は、レール９に沿うように、乗降口６から乗降口７に亘って配置される。
【００１５】
ステップ２の側方に、スカートガード１２が設けられる。ステップ２とスカートガード１２との間には隙間が形成される。スカートガード１２の上部に、受け具１３が設けられる。図２では、断面がＬ字形状の棒状部材によって受け具１３が形成される例を示す。例えば、受け具１３は、内側の垂直な面がステップ２側を向くように配置される。
【００１６】
受け具１３は、レール支持具１０の下方に配置される。図２は、受け具１３がレール支持具１０の直下に配置される例を示す。受け具１３は、レール支持具１０に対して、例えばステップ２側にずれていても良い。受け具１３は、乗降口６から乗降口７に亘って配置される。
【００１７】
飾り金１４は、ボルト等によってスカートガード１２に設けられる。図２では、断面が長方形状の板状部材によって飾り金１４が形成される例を示す。飾り金１４は、乗降口６から乗降口７に亘って配置される。飾り金１４は、一部がスカートガード１２の上端より上方に配置される。飾り金１４の上記一部は、ステップ２側から受け具１３に対向する。飾り金１４の上記一部と受け具１３とによって上向きに開口する溝１５が形成される。溝１５は、例えば溝１１に対向するように、乗降口６から乗降口７に亘って配置される。
【００１８】
パネル１６は、ステップ２に乗った利用者の側方に配置される。パネル１６は、内側板或いは欄干等とも呼ばれる。パネル１６は、金属製でもガラス製でも良い。パネル１６は、樹脂製でも良い。ステップ２等を照らすための照明装置１７がパネル１６によって覆われる。パネル１６は、上端が溝１１に配置される。即ち、パネル１６の上側の端部はレール支持具１０によって支持される。パネル１６の下端は、溝１５に配置される。即ち、パネル１６の下側の端部は、飾り金１４と受け具１３とによって支持される。図２では、パネル１６が鉛直に配置される例を示す。パネル１６は、図２において上方に向かうに従ってステップ２に乗る利用者から離れるように斜めに配置されても良い。また、図２では、パネル１６が平らである例を示す。パネル１６は、湾曲していても良い。
【００１９】
図２は、ステップ２の一側のみを示す。ステップ２の他側の構成は、図２に示す例と同様である。即ち、スカートガード１２は、ステップ２の両側に配置される。パネル１６は、ステップ２に乗る利用者の両側に配置される。
【００２０】
エスカレーターの保守員は、必要に応じて照明装置１７の点検を行う。保守員は、照明装置１７に備えられたランプを交換することもある。かかる場合、保守員は、先ず、飾り金１４をスカートガード１２から取外す。次に、保守員は、パネル１６をレール支持具１０及び受け具１３から外す。保守員は、パネル１６を外すと、例えば照明装置１７の点検を行う。保守員は、照明装置１７の点検が終了すると、レール支持具１０と受け具１３との間にパネル１６を取付ける。具体的には、パネル１６の上端を溝１１に入れ、パネル１６を受け具１３に載せる。そして、飾り金１４をスカートガード１２に固定する。保守員は、パネル１６をレール支持具１０と受け具１３との間に取付ける際に、図３及び図４に示すパネル保持装置２０を用いる。以下に、図５から図７も参照し、パネル保持装置２０について詳しく説明する。
【００２１】
図３は、パネル保持装置２０の例を示す正面図である。図４は、パネル保持装置２０の例を示す側面図である。パネル保持装置２０は、例えば支持部２１、保持部２２、及び可動部２３を備える。
【００２２】
支持部２１は、土台の部分である。支持部２１は、ステップ２に載せられる。図３及び図４に示す例では、支持部２１は箱状である。
【００２３】
保持部２２は、パネル１６を立てた状態で保持する。保持部２２は、支持部２１の上方に配置される。保持部２２は、可動部２３によって支持される。
【００２４】
可動部２３は、支持部２１に設けられる。可動部２３は、保持部２２を水平方向に変位させる。可動部２３は、例えばレール２４、及び移動部材２５を備える。レール２４は、支持部２１の上面に設けられる。移動部材２５は、レール２４に支持される。支持部２１が水平な面に置かれると、移動部材２５は、レール２４に案内されて水平に移動する。例えば、移動部材２５は、図４に示すＢ方向に変位可能である。なお、移動部材２５の移動方向は多少傾いていても構わない。
【００２５】
保持部２２は、移動部材２５に設けられる。このため、支持部２１が水平な面に置かれると、保持部２２は、水平な方向に変位可能である。
【００２６】
次に、パネル保持装置２０を用いてレール支持具１０と受け具１３との間にパネル１６を取付ける手順について説明する。図５は、パネル１６の取付け手順を説明するための図である。図６及び図７は、図５のＣ−Ｃ断面を示す図である。図５は、保守員がパネル保持装置２０を用いてパネル１６をステップ２上で支えている状態を示す。パネル保持装置２０は、パネル１６の取付け位置に合わせて、あるステップ２に載せられる。保守員は、パネル保持装置２０が載せられたステップ２より上方に配置されたステップ２に乗り、パネル１６を保持する。
【００２７】
パネル１６は、エスカレーターの傾斜に合わせて斜めに配置される。このため、パネル１６には、上側の上端部１６ａ、下側の上端部１６ｂ、上側の下端部１６ｃ、及び下側の下端部１６ｄが存在する。図５から図７は、保持部２２がパネル１６の下側の下端部１６ｄを保持する例を示す。
【００２８】
保持部２２がパネル１６の下側の下端部１６ｄを保持する場合、保持部２２には、例えば対向面２２ａ、対向面２２ｂ、及び対向面２２ｃが形成される。対向面２２ａは、パネル１６の下端面１６ｅに対向する。対向面２２ａは、パネル１６の荷重を支えるための上向きの面である。対向面２２ｂは、パネル１６の一側の端面１６ｆに対向する。端面１６ｆは、乗降口７側を向く端面である。対向面２２ａは、対向面２２ｂに近づくに従って低くなるように傾斜する。対向面２２ｂは、パネル１６が対向面２２ａに沿って下方に滑り落ちることを防止するための横向きの面である。対向面２２ｃは、パネル１６の下端部１６ｄに対して、受け具１３の反対側から対向する。
【００２９】
パネル保持装置２０は、保持部２２がステップ２の幅方向に変位可能となるようにステップ２に載せられる。即ち、パネル保持装置２０がステップ２に載せられると、保持部２２は、受け具１３に接近及び離隔するように水平方向に変位可能になる。図６は、保持部２２が離隔位置に配置された状態を示す。図６に示すように、保守員は、先ず、保持部２２を受け具１３から離して離隔位置に配置し、保持部２２にパネル１６の下端部１６ｄを保持させる。
【００３０】
次に、保守員は、保持部２２を離隔位置に配置したまま、パネル１６の上側がレール支持具１０に近づくように、パネル１６を図６に示すＤ方向に倒す。そして、保守員は、パネル１６の上端をレール支持具１０より下方に配置する。具体的に、保守員は、パネル１６の上端を溝１１の直下に配置する。上記離隔位置は、パネル１６を保持部２２で保持したまま、パネル１６の上端を溝１１の直下に配置することが可能な位置である。
【００３１】
次に、保守員は、保持部２２が受け具１３に接近するように、図６に示すＥ方向に保持部２２を移動させる。この時、保守員はパネル１６を支えながら保持部２２を移動させ、パネル１６の上端を溝１１に配置する。図７は、保持部２２が接近位置に配置された状態を示す。接近位置は、離隔位置より受け具１３に近い位置である。保持部２２が接近位置に配置されると、保持部２２に保持されたパネル１６の下端は、隣接する受け具１３と同じ高さに配置される。保持部２２が接近位置に配置された際に、パネル１６の下端が、隣接する受け具１３より僅かに高い位置に配置されても良い。
【００３２】
保守員は、保持部２２を接近位置に配置すると、パネル１６の下側を図７に示すＦ方向に移動させる。これにより、パネル１６を受け具１３に載せる。保守員は、パネル１６を受け具１３に載せると、パネル１６が受け具１３から外れないように、飾り金１４をスカートガード１２に固定する。
【００３３】
本実施の形態に示す例であれば、パネル１６の下側の下端部１６ｄをパネル保持装置２０によって保持することができる。また、保持部２２を離隔位置から接近位置に移動させることによって、パネル１６の上端を溝１１に配置することができる。このため、パネル１６の取付け作業を保守員一人で行うことができる。
【００３４】
図８は、パネル保持装置２０の他の例を示す図である。図８は、パネル保持装置２０の支持部２１が多数の板状部材２６を備える例を示す。また、図８は、パネル保持装置２０がステップ２に載せられた状態を示す。
【００３５】
板状部材２６は、支持部２１の最下部に配置される。板状部材２６は、互いに平行に且つ等間隔に配置される。板状部材２６は、その長手方向がレール２４の長手方向と直交するように配置される。パネル保持装置２０が載せられるステップ２には、利用者が乗る踏み面に多数のクリート２ａが形成されている。板状部材２６は、パネル保持装置２０がステップ２に載せられると、そのステップ２のクリート２ａの間に配置される。板状部材２６がクリート２ａの間に配置されることにより、パネル保持装置２０がステップ２の幅方向に移動してしまうことを防止できる。
【００３６】
図９は、パネル保持装置２０の他の例を示す図である。図９は、パネル保持装置２０が支持部２１、保持部２２、及び可動部２３に加え、固定部２７を更に備える例を示す。また、図９は、パネル保持装置２０がステップ２に載せられた状態を示す。
【００３７】
固定部２７は、支持部２１をエスカレーターに固定する。図９は、固定部２７により、ステップ２の両側に配置されたスカートガード１２に支持部２１が固定された例を示す。固定部２７は、支持部２１に設けられる。固定部２７は、例えば支持部２１から両側に突出する。図９に示す例では、固定部２７は、スカートガード１２を外側に押付けることにより、支持部２１をエスカレーターに固定する。パネル保持装置２０が固定部２７を備えることにより、支持部２１が移動してしまうことを防止できる。図９に示す例において、支持部２１は板状部材２６を備えても良い。
【００３８】
図１０は、パネル保持装置２０の他の例を示す図である。図１０は、パネル保持装置２０が支持部２１、保持部２２、及び可動部２３に加え、移動防止部材２８を更に備える例を示す。また、図１０は、パネル保持装置２０がステップ２に載せられた状態を示す。
【００３９】
移動防止部材２８は、支持部２１に設けられる。移動防止部材２８は、パネル保持装置２０がステップ２に載せられた際に、そのステップ２とそのステップ２の上側に隣接するステップ２との間に形成された隙間に先端部分が挿入される。例えば、移動防止部材２８の先端部分は鉤形状である。パネル保持装置２０が載せられたステップ２の端部に、移動防止部材２８の先端部分が掛けられる。移動防止部材２８の先端部分が上記隙間に配置されることにより、支持部２１がクリート２ａの長手の方向に移動してしまうことを防止できる。図１０に示す例においても、支持部２１は板状部材２６を備えても良い。
【００４０】
本実施の形態で示す各例において、パネル保持装置２０は、操作部（図示せず）を更に備えても良い。操作部は、特定の操作が行われることにより、保持部２２を遠隔位置から接近位置に変位させる。例えば、操作部はハンドルを備える。保守員は、ハンドルを回すことによって保持部２２を遠隔位置から接近位置に変位させる。
【００４１】
操作部は、保守員が特定の操作を足で行うものでも良い。例えば、保守員は、操作部を踏むことによって保持部２２を遠隔位置から接近位置に変位させる。可動部２３が電動の機構を備える場合、操作部は、保守員が手或いは足で操作するリモートコントローラであっても良い。
【００４２】
実施の形態２．
実施の形態１では、保持部２２が水平方向に変位する例について説明した。本実施の形態では、保持部２２が上下方向に変位する例について説明する。図１１は、実施の形態２におけるパネル保持装置２０の例を示す図である。図１１に示すパネル保持装置２０は、例えば支持部２１、保持部２２、及び可動部２９を備える。
【００４３】
図１１に示す支持部２１及び保持部２２は、実施の形態１で開示した何れかの例と同様である。即ち、支持部２１は、ステップ２に載せられる。支持部２１は板状部材２６を備えても良い。保持部２２は、パネル１６を立てた状態で保持する。保持部２２は、可動部２９によって支持される。例えば、保持部２２に、対向面２２ａ、対向面２２ｂ、及び対向面２２ｃが形成される。
【００４４】
可動部２９は、支持部２１に設けられる。可動部２９は、保持部２２を上下に変位させる。図１１は、可動部２９がラック・ピニオン機構である例を示す。可動部２９は、ラック・ピニオン機構以外の手段によって保持部２２を上下に変位させても良い。支持部２１が水平な面に置かれると、保持部２２は上下に移動する。例えば、保持部２２は、図１１に示すＧ方向に変位可能である。なお、移動部材２５の移動方向は多少傾いていても構わない。
【００４５】
以下に、図１１に示すパネル保持装置２０を用いてレール支持具１０と受け具１３との間にパネル１６を取付ける手順について説明する。図１２は、パネル１６の取付け手順を説明するための図である。図１２は、図５のＣ−Ｃ断面に相当する図である。
【００４６】
保守員は、図５に示すように、パネル保持装置２０を用いてパネル１６をステップ２上で支える。パネル保持装置２０は、パネル１６の取付け位置に合わせて、あるステップ２に載せられる。保守員は、パネル保持装置２０が載せられたステップ２より上方に配置されたステップ２に乗り、パネル１６を保持する。例えば、保持部２２は、パネル１６の下側の下端部１６ｄを保持する。
【００４７】
パネル保持装置２０は、保持部２２の対向面２２ｃが受け具１３側を向くようにステップ２に載せられる。上述したように、保持部２２は、上下方向に変位可能である。図１２は、保持部２２が下方位置に配置された状態を示す。図１２に示すように、保守員は、先ず、保持部２２を下方に移動させて下方位置に配置し、保持部２２にパネル１６の下端部１６ｄを保持させる。
【００４８】
次に、保守員は、保持部２２を下方位置に配置したまま、パネル１６を外側に倒し、パネル１６の上端をレール支持具１０より下方に配置する。具体的に、保守員は、パネル１６の上端を溝１１の直下に配置する。上記下方位置は、パネル１６を保持部２２で保持したまま、パネル１６の上端を溝１１の直下に配置することが可能な位置である。
【００４９】
次に、保守員は、保持部２２が受け具１３に接近するように、保持部２２を図１２に示すＨ方向、即ち上方に移動させる。この時、保守員はパネル１６を支えながら保持部２２を移動させ、パネル１６の上端を溝１１に配置する。これにより、保持部２２は、上方位置に配置される。上方位置は、下方位置より受け具１３に近く、且つ高い位置である。保持部２２が上方位置に配置された状態は、図７に示す状態と同様である。保持部２２が上方位置に配置されると、保持部２２に保持されたパネル１６の下端は、隣接する受け具１３と同じ高さに配置される。保持部２２が上方位置に配置された際に、パネル１６の下端が、隣接する受け具１３より僅かに高い位置に配置されても良い。
【００５０】
保守員は、保持部２２を上方位置に配置すると、パネル１６の下側を外側に移動させ、パネル１６を受け具１３に載せる。保守員は、パネル１６を受け具１３に載せると、パネル１６が受け具１３から外れないように、飾り金１４をスカートガード１２に固定する。
【００５１】
本実施の形態に示す例であれば、パネル１６の下側の下端部１６ｄをパネル保持装置２０によって保持することができる。また、保持部２２を下方位置から上方位置に移動させることによって、パネル１６の上端を溝１１に配置することができる。このため、パネル１６の取付け作業を保守員一人で行うことができる。
【００５２】
なお、本実施の形態に示すパネル保持装置２０に対して、実施の形態１で開示した変形例を適用しても良い。例えば、パネル保持装置２０は、固定部２７を更に備えても良い。パネル保持装置２０は、移動防止部材２８を更に備えても良い。パネル保持装置２０は、操作部を更に備えても良い。パネル保持装置２０が操作部を備える場合、操作部は、特定の操作が行われることによって保持部２２を下方位置から上方位置に変位させる。
【００５３】
実施の形態１では保持部２２が水平方向に変位可能な例を示し、実施の形態２では保持部２２が上下に変位可能な例を示した。パネル保持装置２０は、保持部２２が水平方向及び上下方向の双方に変位可能であっても良い。
【００５４】
実施の形態１及び２では、飾り金１４と受け具１３とによって上向きに開口する溝１５が形成される例について説明した。これは一例である。上向きに開口する溝１５が受け具１３のみによって形成されても良い。
【００５５】
実施の形態１及び２では、保守員がエスカレーターでパネル保持装置２０を用いてパネル１６の取付け作業を行う例について説明した。保守員は、動く歩道といった他のマンコンベアでパネル保持装置２０を用いてパネルの取付け作業を行っても良い。
【符号の説明】
【００５６】
１  トラス、  ２  ステップ、  ２ａ  クリート、  ３  機械室、  ４  電動機、  ５  制御装置、  ６  乗降口、  ７  乗降口、  ８  移動手摺、  ９  レール、  １０  レール支持具、  １１  溝、  １２  スカートガード、  １３  受け具、  １４  飾り金、  １５  溝、  １６  パネル、  １６ａ〜１６ｂ  上端部、  １６ｃ〜１６ｄ  下端部、  １６ｅ  下端面、  １６ｆ  端面、  １７  照明装置、  ２０  パネル保持装置、  ２１  支持部、  ２２  保持部、  ２２ａ〜２２ｃ  対向面、  ２３  可動部、  ２４  レール、  ２５  移動部材、  ２６  板状部材、  ２７  固定部、  ２８  移動防止部材、  ２９  可動部
【図１】
2019199325.tif 000003
【図２】
2019199325.tif 000004
【図３】
2019199325.tif 000005
【図４】
2019199325.tif 000006
【図５】
2019199325.tif 000007
【図６】
2019199325.tif 000008
【図７】
2019199325.tif 000009
【図８】
2019199325.tif 000010
【図９】
2019199325.tif 000011
【図１０】
2019199325.tif 000012
【図１１】
2019199325.tif 000013
【図１２】
2019199325.tif 000014